(57)【要約】  【課題】システムキッチンのシンク下部に組み込む冷蔵庫の埃除去フィルターの清掃性を向上させる。  【解決手段】システムキッチンにおいて外枠１０の上部にシンク１１を配置するとき、最下段の収納スペースに冷蔵庫を設置する場合、その構成は収納部１５とその左右どちらかに機械室１６を配設し、機械室１６の前方に吸い込み口つき化粧板１４Ｂを設け、吸い込み口つき化粧板１４Ｂと一体となった埃除去フィルター３４を設けることにより、埃が付着した場合でも容易に清掃できるようにし、冷却能力を確保する。【選択図】図５
2006023013.tif 000002
【特許請求の範囲】
【請求項１】
システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記吸い込み口と一体になった埃除去用フィルターを設けたことを特徴とするシステムキッチン組み込み式冷蔵庫。
【請求項２】
システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記吸い込み口と前記放熱器間の空間に埃除去用フィルターを前記吸い込み口と平行に配置したことを特徴とするシステムキッチン組み込み式冷蔵庫。
【請求項３】
システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記吸い込み口と前記放熱器間の空間に埃除去用フィルターを前記吸い込み口に対して斜めに配置したことを特徴とするシステムキッチン組み込み式冷蔵庫。
【請求項４】
フィルターの面積を吸い込み口の面積よりも大きくしたことを特徴とした請求項１から３のいずれか一項に記載のシステムキッチン組み込み式冷蔵庫。
【請求項５】
吸い込み口を吸い込み口からみて、機械室の開口部の投影面上に設置したことを特徴とした請求項１から４のいずれか一項に記載のシステムキッチン組み込み式冷蔵庫。
【発明の詳細な説明】
【技術分野】
【０００１】
本発明はシステムキッチンの一区画の下部空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図７は、特許文献１に記載されたシステムキッチン用の保冷庫を示すものである。図７に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、フローリング等の埃が立ちやすいキッチンにおいて、空気導入経路に埃が付着した場合、清掃が不可能もしくは困難であり、冷却能力が低下する課題を有していた。
【０００６】
本発明は、上記従来の課題を解決するもので、システムキッチンのシンク下部の、奥側に給排水管がある空間に収納でき、機械室の給気経路の清掃性を高めた構成をした冷蔵庫を提供することを目的とする。
【課題を解決するための手段】
【０００７】
上記従来の課題を解決するために、本発明の冷蔵庫は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱部と熱交換した空気を前記貯蔵室の下部から前方に排出する排気ダクトを前記貯蔵室の下部に設け、前記排気ダクト内には水受け皿を設け、前記吸い込み口と一体になった埃除去用フィルターを設けたこととしているものである。
【０００８】
これによって、システムキッチンの奥面に給排水配管のある最下段の空間においても奥行き方向の収納スペースを確保できることとしたものである。
【０００９】
また、吸い込み口と埃除去用フィルターを一体とすることで、清掃性の向上を図るものである。
【発明の効果】
【００１０】
本発明の冷蔵庫は、システムキッチン内の限られた空間において、システムキッチンの枠内に簡単にビルトイン設置でき、また奥行き方向の収納量を確保することができる。
【００１１】
また、貯蔵室の左右どちらか一方に集中配置した前記貯蔵室を冷却するための冷却ユニットの前面に設けられた前記冷却ユニットの放熱部を冷却する空気の吸い込み口と埃除去用フィルターを一体とすることにより、埃が立ちやすいキッチンにおいても、清掃性を高めることにより、冷却能力を確保することができる。
【発明を実施するための最良の形態】
【００１２】
請求項１に記載の発明は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記吸い込み口と一体になった埃除去用フィルターを設けたものであり、フィルターの清掃性がしやすくなり、冷却能力を確保することができる。
【００１３】
請求項２に記載の発明は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記吸い込み口と前記放熱器間の空間に埃除去用フィルターを前記吸い込み口と平行に配置したものであり、効率良く埃を除去することができる。
【００１４】
請求項３に記載の発明は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記吸い込み口と前記放熱器間の空間に埃除去用フィルターを前記吸い込み口に対して斜めに配置したものであり、風路面積と比較してフィルターの表面積を大きくすることができるため、フィルターが目詰まりし、冷却性能が低下するまでの期間を延長させることができる。
【００１５】
請求項４に記載の発明は、請求項１から３のいずれか一項に記載の発明において、フィルターの面積を吸い込み口の面積よりも大きくしたものであり、フィルターが目詰まりし、冷却性能が低下するまでの期間を延長させることができる。
【００１６】
請求項５に記載の発明は、請求項１から４のいずれか一項に記載の発明において、吸い込み口を吸い込み口からみて、機械室の開口部の投影面上に設置したものであり、ダクト抵抗を低減させることができる。
【００１７】
以下、本発明の実施の形態について、図面を参照しながら説明する。なお、実施の形態によってこの発明が限定されるものではない。
【００１８】
（実施の形態１）
図１は、本発明の実施の形態１におけるシステムキッチン組立時の冷蔵庫の斜視図であり、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３で構成されている。システムキッチン組み込み式冷蔵庫の前面には、意匠パネルドアを形成する化粧板１４Ａ、吸込み口付き化粧板１４Ｂが構成されている。このような構成をすることにより、システムキッチンの外観意匠を損なわずにシステムキッチン組み込み式冷蔵庫１３を組み込むことができる。
【００１９】
図２は同実施の形態のシステムキッチン組み込み式冷蔵庫１３を前面に引き出したときの斜視図であり、システムキッチン組み込み式冷蔵庫１３は大きくは収納部１５、機械室１６で構成されている。収納部１５の前面には断熱扉１７があり断熱扉１７にはシステムキッチンの外観意匠を統一するために化粧板１４Ａが取り付けられている。機械室部１６の前面には吸込みグリル１４Ｃを一体成形した吸込み口付き化粧板１４Ｂが取り付けられている。
【００２０】
図３は同実施の形態のシステムキッチン組み込み式冷蔵庫の部分斜視図であり、機械室１６は、冷却ユニット１８の放熱器１９、ファンモータ２０、電源制御基板２１、蒸発皿２２、排気ダクト２３で構成されている。また、機械室１６の前面部には仕切り２４が設置されている。仕切り２４には放熱器１９に空気を流す開口部２５が開けられている。収納部１５の庫内２６は冷却ユニット１８の冷却器２７と庫内２６を分ける庫内カバー２８、庫内攪拌用ファンモータ２９、収納ケース３０を前後方向にスライドさせるレール３１で収納部１５の庫内を構成している。レール３１には固定レール３１Ａ、図示しない中間レール３１Ｂ、可動レール３１Ｃで構成されている。
【００２１】
図４は同実施の形態のシステムキッチン組み込み式冷蔵庫の冷却ユニット１８の断面図であり、ペルチェ素子３２、冷却器２７とペルチェ素子３２の熱交換をさせるためのヒートコンダクタ３３、ペルチェ素子３２によって出された熱を排熱するための高温側の放熱器１９、冷却器２７、ペルチェ素子３２、ヒートコンダクタ３３、放熱器１９を連結するケースコンダクタ３４で構成されている。
【００２２】
図５は同実施の形態のシステムキッチン組み込み式冷蔵庫の機械室１６の斜視図であり、放熱器１９の前方には埃除去用のフィルター３５が吸い込み口つき化粧板１４Ｂと一体となって吸い込み口付き化粧板１４Ｂと平行に設置されており、このフィルター３５は放熱器１９、ファンモータ２０、電源制御基板２１への埃，油分の付着を防ぐ役割をしている。フィルター３５は吸い込み口付き化粧板１４Ｂと一体になっているため、吸い込み口付き化粧板１４Ｂを取り外すことで、フィルター３５のメンテナンスが可能になっている。吸い込み口１４Ｃは開口部２５の投影面上にあり、ダクト抵抗を低減させている。また、フィルター３５は吸い込み口１４Ｃに対して面積が大きくなっている。また、フィルター３５は斜めに設置し、フィルター面積の拡大を図ることも可能である。
【００２３】
図６は同実施の形態のシステムキッチン組み込み式冷蔵庫の収納部を引き出したときの斜視図であり、断熱扉１７には収納ケース３０を支持するガイドレール３６があり、ガイドレール３６と移動レール３１Ｃは連結固定されている。
【００２４】
さらに、システムキッチン組み込み式冷蔵庫１３は、温度の設定により保冷庫や乾燥庫、温蔵庫としても使用することができる。
【００２５】
次に、同実施の形態の動作を説明する。まず機械室１６側を説明する。吸込み口付き化粧板１４Ｂから吸込まれた空気はフィルター３５を通過し埃除去され、ペルチェ素子３２から出された熱を放熱器１９と熱交換し、ファンモータ２０により吸込まれ、電源制御基板を２１冷却する。放熱器１９と電源制御基板２１と熱交換した高温空気は下部の排気ダクト２３に導かれ、蒸発皿２２を通過して庫内からのドレン水を蒸発させ、台所空間に放出される。また収納部１５側は、庫内攪拌用ファンモータ２９から吐出された冷気は収納部１５奥面を通り収納ケース３０に流入し庫内カバーの吸込み口から吸入され、冷却器２７で再び吸熱されて収納ケース３０に送風する。
【００２６】
さらに、冷蔵庫１３は、温度の設定により保冷庫や乾燥庫、温蔵庫としても使用することができる。
【産業上の利用可能性】
【００２７】
以上のように、本発明にかかる冷蔵庫は、限られた空間を有効に活用できるのでシステムキッチンなどのビルトイン機器に適用できる。
【図面の簡単な説明】
【００２８】
【図１】本発明の実施の形態１におけるシステムキッチン組立時の冷蔵庫の斜視図
【図２】同実施の形態のシステムキッチンの冷蔵庫を前面に引き出したときの斜視図
【図３】同実施の形態のシステムキッチン組み込み式冷蔵庫の部分斜視図
【図４】同実施の形態のシステムキッチン組み込み式冷蔵庫の冷却ユニットの断面図
【図５】同実施の形態のシステムキッチン組み込み式冷蔵庫の機械室の斜視図
【図６】同実施の形態のシステムキッチン組み込み式冷蔵庫の収納部を引き出したときの斜視図
【図７】従来のシステムキッチン組み込み式保冷庫の斜視図
【符号の説明】
【００２９】
１３  システムキッチン組み込み式冷蔵庫
１４Ｃ  吸い込み口
１８  冷却ユニット
１９  放熱器
２２  蒸発皿
２３  排気ダクト
２５  開口部
３０  収納ケース
３１Ａ  固定レール
３１Ｂ  中間レール
３１Ｃ  可動レール
３５  フィルター
【図１】
2006023013.tif 000003
【図２】
2006023013.tif 000004
【図３】
2006023013.tif 000005
【図４】
2006023013.tif 000006
【図５】
2006023013.tif 000007
【図６】
2006023013.tif 000008
【図７】
2006023013.tif 000009